(57)【要約】【課題】使用環境の温度に起因する測定誤差の発生を抑制できるバイオセンサシステムを提供する。【解決手段】演算部３０６を有する測定器１０１と、測定器１０１に着脱自在であり、血液試料が導入されるセンサチップ２００とを有し、センサチップ２００が、血液試料中の分析物を基質とする酸化還元酵素が関与する反応により血液試料中に流れる電流の量に基づいて分析物の濃度に関連するデータａを取得する測定部４１（測定部Ａ）と、データａを温度補正するためのデータｂを血液試料から取得する測定部４２（測定部Ｂ）とを有し、演算部３０６が、データａおよびデータｂに基づき、血液試料の温度に応じて補正された、血液試料中の分析物の濃度を決定する機能を有するバイオセンサシステム１００とする。【選択図】図４
2014041166.tif 000002
【特許請求の範囲】
【請求項１】
演算部を有する測定器と、
前記測定器に着脱自在であり、血液試料が導入されるセンサチップと、
を有するバイオセンサシステムであって、
前記センサチップは、
前記血液試料中の分析物を基質とする酸化還元酵素が関与する反応により、前記血液試料中に流れる電流の量に基づいて、前記分析物の濃度に関連するデータａを取得する測定部Ａと、
前記データａを温度補正するために、前記酸化還元酵素が関与しない反応であって、前記分析物以外の酸化還元物質の酸化または還元に伴って前記血液試料中に流れる電流の量に関連するデータｂを前記血液試料から取得する測定部Ｂと、
を有し、
前記演算部は、
分析物濃度が明らかでありかつ温度が１つの値に固定された基準血液試料から前記基準血液試料中の前記分析物を基質とする前記酸化還元酵素が関与する反応により前記基準血液試料中を流れる電流の量に関連するデータｃ、および前記基準血液試料から前記酸化還元酵素が関与しない反応であって前記分析物以外の前記酸化還元物質の酸化または還元に伴って前記基準血液試料中に流れる電流の量に関連するデータｄ、に基づく１つの換算値と、
前記データｃおよび前記データｄに基づく前記１つの換算値に対応する前記基準血液試料中の前記分析物の濃度と、
が関連付けられた状態で複数のデータが記述された換算テーブルを格納し、
前記演算部は、
前記データａおよび前記データｂに基づいて前記データｃおよび前記データｄに基づく前記１つの換算値に対応する１つの換算値を算出し、
算出した前記データａおよび前記データｂに基づく前記１つの換算値と一致または近似する前記データｃおよび前記データｄに基づく前記１つの換算値を選択し、
選択した前記データｃおよび前記データｄに基づく前記１つの換算値に対応する前記基準血液試料中の前記分析物の前記濃度を読み出し、
読み出した前記基準血液試料中の前記分析物の前記濃度に基づいて、前記血液試料の温度に応じて補正された、前記血液試料中の前記分析物の濃度を決定する、バイオセンサシステム。
【請求項２】
前記演算部は、
（i）前記データａおよび前記データｂに基づく前記１つの換算値が、前記データｃおよび前記データｄに基づく前記１つの換算値と一致している値であるとき、読み出した前記分析物の前記濃度が、前記血液試料中の前記分析物の前記濃度となるように、前記血液試料中の前記分析物の前記濃度を決定し、
（ii）前記データａおよび前記データｂに基づく前記１つの換算値が、前記データｃおよび前記データｄに基づく前記１つの換算値と近似している値であるとき、読み出した前記分析物の前記濃度に基づいて、前記血液試料中の前記分析物の前記濃度を算出する、請求項１に記載のバイオセンサシステム。
【請求項３】
前記データｃおよび前記データｄに基づく前記１つの換算値は、前記データｄの値を前記データｃの値で除算することによって算出され、
前記演算部は、前記データｂの値を前記データａの値で除算することによって、前記データａおよび前記データｂに基づく前記１つの換算値を算出する、請求項１または２に記載のバイオセンサシステム。
【請求項４】
前記測定器が、前記血液試料が前記センサチップに導入された時点から０．５秒以上２．５秒未満の範囲内に、前記データａの取得を指示する信号を前記測定部Ａに与える制御回路を有する、請求項１〜３のいずれか１項に記載のバイオセンサシステム。
【請求項５】
前記センサチップが前記酸化還元酵素を含有する反応試薬層を有しており、
前記反応試薬層が水溶性高分子化合物を含有しない、または前記反応試薬層中の水溶性高分子化合物の量が０．２質量％未満であり、
前記測定器が、前記血液試料が前記センサチップに導入された時から０．５秒以上２．５秒未満の範囲内に前記データａの取得を指示する信号を前記測定部Ａに与える制御回路を有する、請求項１〜３のいずれか１項に記載のバイオセンサシステム。
【請求項６】
前記センサチップが前記酸化還元酵素を含有する反応試薬層を有しており、
前記反応試薬層中の水溶性高分子化合物の量が０．２質量％以上であり、
前記測定器が、前記血液試料が前記センサチップに導入された時から２．５秒以上経過した後に前記データａの取得を指示する信号を前記測定部Ａに与える制御回路を有する、請求項１〜３のいずれか１項に記載のバイオセンサシステム。
【請求項７】
前記測定器が、測定環境の温度を測定する環境温度測定部をさらに有する、請求項１〜３のいずれか１項に記載のバイオセンサシステム。
【請求項８】
請求項１〜７のいずれか１項に記載のバイオセンサシステムにおいて使用されるセンサチップであって、
血液試料中の分析物を基質とする酸化還元酵素が関与する反応により、前記血液試料中に流れる電流の量に基づいて、前記分析物の濃度に関連するデータａを取得する測定部Ａと、
前記データａを温度補正するために、前記酸化還元酵素が関与しない反応であって、前記分析物以外の酸化還元物質の酸化または還元に伴って前記血液試料中に流れる電流の量に関連するデータｂを前記血液試料から取得する測定部Ｂと、
を有する、センサチップ。
【請求項９】
血液試料中の分析物を基質とする酸化還元酵素が関与する反応により、前記血液試料中に流れる電流の量に基づいて、前記分析物の濃度に関連するデータａを取得するステップと、
前記データａを温度補正するために、前記酸化還元酵素が関与しない反応であって、前記分析物以外の酸化還元物質の酸化または還元に伴って前記血液試料中に流れる電流の量に関連するデータｂを前記血液試料から取得するステップと、
前記データａおよび前記データｂに基づいて、分析物濃度が明らかでありかつ温度が１つの値に固定された基準血液試料から前記基準血液試料中の前記分析物を基質とする前記酸化還元酵素が関与する反応により前記基準血液試料中を流れる電流の量に関連するデータｃ、および前記基準血液試料から前記酸化還元酵素が関与しない反応であって前記分析物以外の前記酸化還元物質の酸化または還元に伴って前記基準血液試料中に流れる電流の量に関連するデータｄ、に基づく１つの換算値を算出し、
算出した前記データａおよび前記データｂに基づく前記１つの換算値と一致または近似する前記データｃおよび前記データｄに基づく前記１つの換算値を選択し、
選択した前記データｃおよび前記データｄに基づく前記１つの換算値に対応する前記基準血液試料中の前記分析物の濃度を読み出し、
読み出した前記基準血液試料中の前記分析物の前記濃度に基づいて、前記血液試料の温度に応じて補正された、前記血液試料中の前記分析物の濃度を決定するステップと、
を備えた、血液試料中の分析物の濃度の測定方法。
【請求項１０】
前記血液試料中の前記分析物の前記濃度を決定するステップにおいて、
（i）前記データａおよび前記データｂに基づく前記１つの換算値が、前記データｃおよび前記データｄに基づく前記１つの換算値と一致している値であるとき、読み出した前記分析物の前記濃度が、前記血液試料中の前記分析物の前記濃度となるように、前記血液試料中の前記分析物の前記濃度を決定し、
（ii）前記データａおよび前記データｂに基づく前記１つの換算値が、前記データｃおよび前記データｄに基づく前記１つの換算値と近似している値であるとき、読み出した前記分析物の前記濃度に基づいて、前記血液試料中の前記分析物の前記濃度を算出する、請求項９に記載の血液試料中の分析物の濃度の測定方法。
【請求項１１】
前記データｃおよび前記データｄに基づく前記１つの換算値は、前記データｄの値を前記データｃの値で除算することによって算出され、
前記データａおよび前記データｂに基づいて前記データｃおよび前記データｄに基づく前記１つの換算値に対応する前記１つの換算値を算出するステップにおいて、前記データｂの値を前記データａの値で除算することによって、前記データａおよび前記データｂに基づく前記１つの換算値を算出する、請求項９または１０に記載の血液試料中の分析物の濃度の測定方法。
【発明の詳細な説明】
【技術分野】
【０００１】
本発明は、バイオセンサシステム、センサチップおよび血液試料中の分析物濃度の測定方法に関する。
【背景技術】
【０００２】
血液試料中の分析物の濃度、例えば血中グルコース濃度（血糖値）、を測定するために、演算部を有する測定器と、測定器に着脱自在のセンサチップとを備えた携帯型バイオセンサシステムが用いられている。
【０００３】
分析物の濃度は、分析物を基質とする酸化還元酵素を介した酵素サイクリング反応によって生じる、酸化体または還元体の量に基づいて算出されている。酵素サイクリング反応の速度は、反応が進行している温度（反応温度）に依存する。このため、分析物の濃度は、反応温度に基づいて補正することが望ましい。
【０００４】
反応温度は、例えば、測定器に配置された温度センサによって測定される（特許文献１）。しかし、特許文献１のバイオセンサシステムでは、測定器の内部温度が測定されるので、測定される反応温度は、血液試料の温度を正確に反映しない。このため、分析物濃度の測定に誤差が生じる場合がある。
【０００５】
特許文献２〜４は、反応温度の測定精度の向上を目的とするバイオセンサシステムを開示する。特許文献２および３のバイオセンサシステムは、センサチップの血液試料保持部の近傍に熱伝導部材を有しており、この熱伝導部材を介して伝達される血液試料の温度を測定器に配置された温度センサによって検出する。特許文献２および３のバイオセンサシステムでは、熱伝導部材と血液試料保持部との間に樹脂板が配置されているため、熱伝導部材が血液試料に接触することはない。特許文献４のバイオセンサシステムでは、センサチップを取り付けるための測定器の装着部に温度センサおよび熱伝導部材が配置されており、血液試料の温度が熱伝導部材を介して温度センサに伝達される。
【先行技術文献】
【特許文献】
【０００６】
【特許文献１】特開２００３−１５６４６９号公報
【特許文献２】特開２００１−２３５４４４号公報
【特許文献３】特開２００３−４２９９５号公報
【特許文献４】国際公開第２００３／０６２８１２号パンフレット
【発明の概要】
【発明が解決しようとする課題】
【０００７】
バイオセンサシステムを携帯した使用者が寒暖差の大きな場所を移動（例えば、冬場または夏場に屋外から屋内へ移動）した場合、測定器は、環境温度の急激な変化に追随できず、しばらくの間、移動先の環境よりも高温または低温になる。例えば、４０℃または１０℃の環境から２５℃の環境に測定器を移動させると、測定器の温度が２５℃に収束するまでに約３０分間もかかる（特許文献１）。測定器の温度センサによる反応温度の測定において、測定器の温度による影響を完全に排除することは容易でない。このため、特許文献２〜４に記載のバイオセンサシステムにおいても、やはり、センサを使用する環境の温度が急激に変化すると、分析物濃度の測定に誤差が生じやすくなる。また、特許文献２〜４に記載のバイオセンサシステムでは、血液試料の温度が樹脂板および熱伝導部材を介して温度センサに熱伝達されるので、測定される反応温度は、やはり、血液試料の温度を正確に反映しない。
【０００８】
本発明は、使用環境の温度に起因する測定誤差の発生を抑制できるバイオセンサシステム、および当該センサシステムに適したセンサチップの提供を目的とする。また、本発明は、血液試料中の分析物濃度の測定精度を向上できる測定方法の提供を目的とする。
【課題を解決するための手段】
【０００９】
本発明は、演算部を有する測定器と、前記測定器に着脱自在であり、血液試料が導入されるセンサチップと、を有するバイオセンサシステムであって、前記センサチップが、前記血液試料中の分析物を基質とする酸化還元酵素が関与する反応により前記血液試料中に流れる電流の量に基づいて前記分析物の濃度に関連するデータａを取得する測定部Ａと、前記データａを温度補正するためのデータｂを前記血液試料から取得する測定部Ｂとを有し、前記演算部が、前記データａおよび前記データｂに基づき、前記血液試料の温度に応じて補正された、前記血液試料中の前記分析物の濃度を決定する機能を有する、バイオセンサシステムを提供する。
【００１０】
また、本発明は、別の側面から、上記のバイオセンサシステムにおいて使用され、血液試料が導入されるセンサチップであって、前記血液試料中の分析物を基質とする酸化還元酵素が関与する反応により前記血液試料中に流れる電流の量に基づいて前記分析物の濃度に関連するデータａを取得する測定部Ａと、前記データａを温度補正するためのデータｂを前記血液試料から取得する測定部Ｂとを有する、センサチップを提供する。
【００１１】
また、本発明は、別の側面から、血液試料中の分析物を基質とする酸化還元酵素が関与する反応により前記血液試料中に流れる電流の量に基づいて前記分析物の濃度に関連するデータａを取得するステップと、前記データａを温度補正するためのデータｂを前記血液試料から取得するステップと、前記データａおよび前記データｂに基づき、前記血液試料の温度に応じて補正された、前記血液試料中の前記分析物の濃度を決定するステップとを有する、血液試料中の分析物の濃度の測定方法であって、前記データｂを取得するステップが、前記血液試料に接触させた一対の電極に電圧を印加し、前記分析物以外の酸化還元物質の酸化または還元に伴って前記血液試料中に流れる電流の量を測定するステップを含む、血液試料中の分析物の濃度の測定方法を提供する。
【発明の効果】
【００１２】
分析物濃度を温度補正するためのデータを血液試料から直接取得することによって、血液試料中の分析物濃度の測定において、当該測定を実施する環境の温度に起因した測定誤差の発生をより確実に回避できる。したがって、本発明によれば、血液試料中の分析物濃度の測定精度が高まる。
【図面の簡単な説明】
【００１３】
【図１】本発明によるバイオセンサシステムの一例を示す図である。
【図２】本発明によるセンサチップの一例の分解斜視図である。
【図３】本発明によるセンサチップの一例の平面図である。
【図４】本発明によるバイオセンサシステムにおける回路構成の一例を示す図である。
【図５】換算テーブルの一例を示す図である。
【図６】換算テーブルの別例を示す図である。
【発明を実施するための形態】
【００１４】
本発明によるバイオセンサシステムは、センサチップに配置された測定部によって、分析物濃度を温度補正するためのデータを血液試料から取得する。
【００１５】
図１は、本発明によるバイオセンサシステムの一例を説明するための図である。このバイオセンサシステム１００は、直方体状の測定器１０１と、センサチップ２００とを有している。測定器１０１の側壁面には、矩形状の孔である装着口１０２が形成されている。センサチップ２００は、装着口１０２に着脱自在な状態で装着され測定器１０１に接続されている。測定器１０１の一方の主面の略中央部には、測定結果を表示するための表示部１０３が配置されている。
【００１６】
図２はセンサチップ２００の分解斜視図であり、図３はその平面図である。このセンサチップ２００は、矩形状の切欠部２０４が形成されたスペーサー２０２を介してかつ絶縁基板２０１の一方の端部（図において右側の端部）を残して、絶縁基板２０１上にカバー
２０３が配置されている。
【００１７】
各部材２０１、２０２、２０３は、例えば接着または熱溶着によって一体化されている。スペーサー２０２の切欠部２０４は、各部材の一体化後には、血液試料を保持するキャピラリ部４０となる。キャピラリ部４０は、チップ２００の長辺に沿って伸長し、スペーサー２０２の一方の端部（図において左側の端部）において外部に連通している。換言すれば、キャピラリ部４０は、チップ２００の外部に開口する血液試料導入口１６と連通している。そして、カバー２０３は、キャピラリ部４０における外部に連通する端と反対側の端に対応する部分に排気口１５を有している。これにより、毛管現象によって血液試料を試料導入口１６からキャピラリ部４０の内部に容易に吸引できる。
【００１８】
絶縁基板２０１上には、電極１１、１２、１３、１４が、それぞれの一部分（部分３１、３２、３３、３４）がキャピラリ部４０に面するように配置されている。電極１１の部分３１は、電極１２の部分３２および電極１３の部分３３よりも血液試料導入口１６に近接する位置に配置されている。電極１３の部分３３は、Ｕ字状に分岐した電極１３の一部であり、電極１２の部分３２を挟む位置に配置されている。絶縁基板２０１上には、電極１２の部分３２および電極１３の部分３３を覆うように、反応試薬層２０が形成されている。反応試薬層２０は、血液試料中の分析物を基質とする酸化還元酵素を含有する。反応試薬層２０は、電極１１の部分３１から離れた位置に形成されている。
【００１９】
センサチップ２００は、電極１２の部分３２および電極１３の部分３３によって構成される電極系と、反応試薬層２０ならびに部分３２および部分３３を収容するキャピラリ部４０の一部の空間とによって構成された、測定部４１（測定部Ａ）を有する。さらに、センサチップ２００は、電極１１の部分３１および電極１２の部分３２によって構成される電極系と、部分３１および部分３２を収容するキャピラリ部４０の一部の空間とによって構成された、測定部４２（測定部Ｂ）を有する。
【００２０】
測定部Ａは、後述するように、酸化還元酵素が関与する反応により血液試料中に流れる電流の量に基づいて、血液試料中の分析物の濃度に関連するデータａを取得する。そして、測定部Ｂは、後述するように、データａを温度補正するためのデータｂを、より具体的には、データａの取得に使用する酸化還元酵素が関与しない反応であって分析物以外の酸化還元物質の酸化または還元に伴って血液試料中に流れる電流の量に関連するデータｂを、血液試料から取得する。このように、測定部Ｂは、血液試料に接する部材、より具体的には血液試料に接する電極、を用いてデータｂを取得する状態にあってよい。ここで、電流の量に関連するデータとは当該電流の量または当該電流量の換算値を意味する。分析物以外の酸化還元物質としては、アスコルビン酸、尿酸、アセトアミノフェン、フェリシアン化物、ｐ−ベンゾキノン、ｐ−ベンゾキノン誘導体、酸化型フェナジンメトサルフェート、メチレンブルー、フェリシニウムおよびフェリシニウム誘導体から選ばれる少なくとも１種を例示できる。分析物以外の酸化還元物質は溶媒、例えば血液試料の場合は、水であってもよい。
【００２１】
測定部Ａでは、電極１２は作用極として、電極１３は対極として機能する。測定部Ｂでは、電極１２は対極として、電極１１は作用極として機能する。測定部Ａおよび測定部Ｂは、図示のように電極１２を共有した状態にあってもよいし、一対の電極をそれぞれ有した状態にあってもよい。このように、センサチップ２００は、血液試料に電圧を印加する電極を測定部Ｂが有する。
【００２２】
電極１４の部分３４は、キャピラリ部４０の奥側の端部近傍に、換言すれば、外部に連通する端と反対側の端の近傍に配置されている。電極１４と電極１１との間に電圧を印加することにより、血液試料がキャピラリ部４０の奥にまで導入されたことを容易に検知で
きる。なお、電極１１に代えて電極１２または電極１３と、電極１４との間に電圧を印加してもよい。
【００２３】
電極１１、１２、１３、１４は、それぞれリード（図示せず）と連結している。リードの一端は、各電極間に電圧を印加できるように、スペーサー２０２およびカバー２０３で覆われていない絶縁基板２０１の端部においてチップ２００の外部に露出している。
【００２４】
血液試料中の分析物としては、血球を除く物質、例えば、グルコース、アルブミン、乳酸、ビリルビンおよびコレステロールが挙げられる。酸化還元酵素は、対象とする分析物を基質とするものを使用する。酸化還元酵素としては、グルコースオキシダーゼ、グルコースデヒドロゲナーゼ、ラクテートオキシダーゼ、ラクテートデヒドロゲナーゼ、ビリルビンオキシダーゼおよびコレステロールオキシダーゼを例示できる。反応試薬層中の酸化還元酵素の量としては、０．０１〜１００ユニット（Ｕ）、好ましくは０．０５〜１０Ｕ、より好ましくは０．１〜５Ｕの範囲を例示できる。
【００２５】
反応試薬層２０は、フェリシアン化カリウム、ｐ−ベンゾキノン、ｐ−ベンゾキノン誘導体、酸化型フェナジンメトサルフェート、メチレンブルー、フェリシニウムおよびフェリシニウム誘導体といった、酵素反応にて生じた電子を電極に受け渡す機能を有する電子メディエータを含有することが望ましい。反応試薬層２０は、反応試薬層の成形性を高めるために、水溶性高分子化合物を含有してもよい。水溶性高分子化合物としては、カルボキシメチルセルロース、ヒドロキシエチルセルロース、ヒドロキシプロピルセルロース、メチルセルロース、エチルセルロース、エチルヒドロキシエチルセルロース、カルボキシエチルセルロース、ポリビニルアルコール、ポリビニルピロリドンおよびポリジンといったポリアミノ酸、ポリスチレンスルホン酸、ゼラチンおよびその誘導体、ポリアクリル酸およびその塩、ポリメタクリル酸およびその塩、スターチおよびその誘導体、無水マレイン酸重合体およびその塩、アガロースゲルおよびその誘導体、から選ばれる少なくとも１種を例示できる。
【００２６】
絶縁基板２０１、スペーサー２０２およびカバー２０３の材料としては、ポリエチレンテレフタレート、ポリカーボネート、ポリイミド、ポリエチレン、ポリプロピレン、ポリスチレン、ポリ塩化ビニル、ポリオキシメチレン、モノマーキャストナイロン、ポリブチレンテレフタレート、メタクリル樹脂およびＡＢＳ樹脂といった樹脂、さらにはガラスを例示できる。
【００２７】
電極１１、１２、１３、１４は、パラジウム、白金、金、銀、チタン、銅、ニッケルおよび炭素といった、公知の導電性材料により構成できる。
【００２８】
図４は、バイオセンサシステム１００における、血液試料中の分析物濃度を測定するための回路構成の一例を示す図である。測定器１０１は、センサチップ２００における電極１１、１２、１３、１４のうち少なくとも２つの電極間に電圧を印加する制御回路３００と、測定器の表示部に相当する液晶表示装置（ＬＣＤ）４００とを有している。
【００２９】
制御回路３００は、４つのコネクタ３０１ａ、３０１ｂ、３０１ｃ、３０１ｄと、切換回路３０２と、電流／電圧変換回路３０３と、アナログ／デジタル（Ａ／Ｄ）変換回路３０４と、基準電圧源３０５と、演算部３０６とを有している。制御回路３００は、切り替え回路３０２を介して、１つの電極を正極または負極として使用できるように、当該電極に印加する電位を切り換えることができる。
【００３０】
演算部３０６は、公知の中央演算装置（ＣＰＵ）と、上記のデータａおよびデータｂに基づき血液試料中の分析物濃度を決定するための換算テーブルとを有する。従来のバイオ
センサシステムでは、環境温度に基づく補正係数が記述された換算テーブルを参照することによって、分析物濃度が補正されていた。より具体的には、従来のバイオセンサシステムでは、仮測定用の換算テーブルを参照して分析物濃度が仮算出された後、温度補正用の換算テーブルを参照して分析物濃度が補正されていた。本発明者は、血液試料の温度が変動した場合、酸化還元酵素が関与する反応により血液試料中に流れる電流の量と、当該酸化還元酵素が関与しない反応であって分析物以外の酸化還元物質の酸化または還元に伴って血液試料中に流れる電流の量とが同様に変動し得ることを見出した。そして、後述するように、バイオセンサシステムを適切に設計することによって、この関係を利用して構築した換算テーブルに基づき、血液試料等の温度を測定することなく、分析物濃度の測定における血液試料の温度の影響を排除できる。
【００３１】
演算部３０６は、こうして構築した１つの換算テーブルを格納した状態にあり、血液試料等の温度ごとに構築された複数の換算テーブルを格納した状態にはない。図５は、演算部３０６が有する換算テーブルの一例を示す図であり、図６はその別例を示す図である。演算部３０６が有する換算テーブルには、図５に示すように、分析物濃度が明らかでありかつ温度が１つの値に固定された基準血液試料から上記のデータａの取得と同様の電圧印加条件によって取得した、基準血液試料中を流れる電流の量に関連するデータｃと、基準血液試料から上記のデータｂの取得と同様の電圧印加条件によって取得した、基準血液試料中を流れる電流の量に関連するデータｄと、データｃおよびデータｄに対応する基準血液試料中の分析物濃度とからなる３種類のデータが記述されていてよい。電流の量に関連するデータとは、上記のとおり、当該電流の量または当該電流量の換算値を意味する。演算部３０６が有する換算テーブルには、図６に示すように、データｃおよびデータｄに代えて、データｃおよびデータｄに基づく１つの換算値が記述されていてもよい。より具体的には、この換算テーブルには、データｃおよびデータｄに代えてデータｄをデータｃで除算することによって得たデータと、データｃおよびデータｄに対応する分析物濃度とからなる２種類のデータが記述されていてもよい。このように、演算部３０６が有する換算テーブルは、血液試料の温度または環境温度と、分析物濃度との関連性が記述された状態にはない。換算テーブルは、バイオセンサシステムごとに用意することが望ましい。基準血液試料の温度は、後述するように、１０℃を超え４０℃未満の範囲、さらには１７℃以上３３℃以下の範囲、にあることが好ましい。
【００３２】
バイオセンサシステム１００を用いた血液試料中の分析物濃度の測定は、例えば次のようにして実施する。
【００３３】
まず、演算部３０６のＣＰＵの指令により、電極１３がコネクタ３０１ｃを介して電流／電圧変換回路３０３に接続され、電極１４がコネクタ３０１ｂを介して基準電圧源３０５に接続される。その後、ＣＰＵの指令により、両電極間に一定の電圧が印加される。当該電圧は、例えば、電極１４を正極、電極１３を負極と表示したときに０．０１〜２Ｖ、好ましくは０．１〜１Ｖ、より好ましくは０．２〜０．５Ｖの大きさとなる電圧である。この電圧は、センサチップが測定部に挿入されてから、血液試料がキャピラリ部４０の奥まで導入されるまでの間、印加される。センサチップ２００の血液試料導入口からキャピラリ部４０に血液試料が導入されると、電極１４と電極１３との間に電流が流れる。そのときの単位時間当たりの電流の増加量を識別することによって、キャピラリ部が血液試料にて満たされたことを検知する。この電流の値は、電流／電圧変換回路３０３により電圧値に変換された後にＡ／Ｄ変換回路３０４によりデジタル値に変換されＣＰＵに入力される。ＣＰＵは、このデジタル値に基づいて血液試料がキャピラリ部の奥にまで導入されたことを検知する。
【００３４】
血液試料の導入後、例えば、０〜６０秒、好ましくは０〜３０秒、より好ましくは０〜１５秒の範囲で、血液試料中の分析物と酸化還元酵素とを反応させる。
【００３５】
続いて、次のようにして上記のデータａを取得する。まず、ＣＰＵの指令により、切換回路３０２が作動して、電極１２がコネクタ３０１ａを介して電流／電圧変換回路３０３に接続され、電極１３がコネクタ３０１ｃを介して基準電圧源３０５に接続される。その後、ＣＰＵの指令により、測定部Ａにおける測定シーケンスが入力される。その際、当該電圧は、例えば、電極１２を正極、電極１３を負極と表示したときに０．０５〜１Ｖ、好ましくは０．１〜０．８Ｖ、より好ましくは０．２〜０．６Ｖの大きさとなる電圧である。電圧の印加時間は０．１〜３０秒、好ましくは０．１〜１５秒、より好ましくは０．１〜５秒の範囲にある。当該電圧の印加に伴って両電極間に流れた電流量は、データａの取得を指示する信号が制御回路から測定部Ａに与えられることによって、電流／電圧変換回路３０３により電圧値に変換された後にＡ／Ｄ変換回路３０４によりデジタル値に変換されＣＰＵに入力され、データａとして演算部３０６のメモリに格納される。分析物濃度の測定を迅速化する観点からは、制御回路は、血液試料がセンサチップのキャピラリ部に導入された時点から０．５秒以上２．５秒未満の範囲内に、データａの取得を指示する信号を測定部Ａに与えることが好ましい。
【００３６】
その後、次のようにして上記のデータｂを取得する。まず、ＣＰＵの指令により、切換回路３０３が作動して、電極１１がコネクタ３０１ｄを介して電流／電圧変換回路３０３に接続され、電極１２がコネクタ３０１ａを介して基準電圧源３０５に接続される。続いて、ＣＰＵの指令により、測定部Ｂにおける両電極間に一定の電圧が印加される。当該電圧は、例えば、電極１１を正極、電極１２を負極と表示したときに０．１〜５Ｖ、好ましくは０．２〜３Ｖ、より好ましくは０．５〜２．５Ｖの大きさとなる電圧である。電圧の印加時間は０．１〜３０秒、好ましくは０．１〜１０秒、より好ましくは０．１〜５秒の範囲にある。当該電圧の印加に伴って両電極間に流れた電流量は、データｂの取得を指示する信号が制御回路から測定部Ｂに与えられることによって、電流／電圧変換回路３０３により電圧値に変換された後にＡ／Ｄ変換回路３０４によりデジタル値に変換されＣＰＵに入力され、データｂとして演算部３０６のメモリに格納される。なお、データｂはデータａよりも先に取得してもよく、その際には、データｂ取得の際の対極上には還元型のメディエータが生成されることを考慮し、データａ取得の際の作用極を対極に用いることは好ましくなく、データａ取得の際の対極を用いることが好ましい。また、データａ取得に用いる電極とは異なる独立した電極を設け対極としても良い。その際、対極上に酸化型メディエータが配置されていることが好ましい。このような観点から、データａおよびデータｂの取得の際に１つの電極を作用極および対極として使用する場合、当該電極の表面における酸化還元反応が律速段階になることがあるので、こうした不具合を回避する観点からは、データｂはデータａよりも後に取得することが好ましい。さらに、こうした順序でデータｂを取得することによって、データａの取得に使用する酸化還元酵素が関与しない反応であって分析物以外の酸化還元物質の酸化または還元に伴って血液試料中に流れる電流の量をより確実に検出できる。
【００３７】
続いて、演算部３０６が、換算テーブルを参照し、データａおよびデータｂに基づき血液試料中の分析物濃度を決定する。そして、決定された分析物濃度が、ＬＣＤ４００に画像表示される。当該決定のための演算プログラムは、換算テーブルのデータ構造に応じて適宜設計すればよい。データａおよびデータｂに完全に一致する数値データが換算テーブルに記述されていない場合、当該換算テーブルに記述されデータａおよびデータｂに近似するデータから、公知の線形補間法を用いることによって分析物濃度を決定すればよい。
【００３８】
本発明によるバイオセンサシステムによれば、温度が１７℃である血液試料Ｘと、血液試料Ｘと同一の成分を有しつつ温度が３３℃である血液試料Ｙとにおいて、データｂの値をデータａの値で除算することによって得られる数値（Ｚ）が略一定になる程度にまで、分析物濃度の測定における血液試料の温度の影響を排除し得る。より具体的には、血液試
料Ｘおよび血液試料Ｙから得られる当該数値をそれぞれＺXおよびＺYと表示したとき、ＺX／ＺYで表示される数値が１．０の近傍にあり得る。血液中のグルコース濃度を測定する場合の、血液試料Ｘおよび血液試料Ｙにおける分析物濃度は、０ｍｇ／ｄｌよりも大きく１０００ｍｇ／ｄｌ以下の範囲にあればよく、例えば１０ｍｇ／ｄｌ以上６００ｍｇ／ｄｌ以下の範囲にあればよい。
【００３９】
分析物濃度の測定における血液試料の温度の影響を上記程度にまで排除するためには、バイオセンサシステムを適切に設計する必要がある。より具体的には、反応試薬層の組成、酸化還元酵素が関与する反応により血液試料中に流れる電流の量を測定するタイミング、およびキャピラリ部の寸法といった種々のパラメータを制御する。
【００４０】
例えば、反応試薬層が水溶性高分子化合物を含有しない、または反応試薬層中の水溶性高分子化合物の量が０．２質量％未満である場合は、測定器が、血液試料がセンサチップに導入された時から０．５秒以上２．５秒未満の範囲内にデータａの取得を指示する信号を測定部Ａに与える制御回路を有することが好ましい。また例えば、反応試薬層中の水溶性高分子化合物の量が０．２質量％以上である場合は、測定器が、血液試料がセンサチップに導入された時から２．５秒以上経過した後にデータａの取得を指示する信号を測定部Ａに与える制御回路を有することが好ましい。この理由は現時点では定かではないが、本発明者は次のように考えている。反応試薬層が水溶性高分子化合物を０．２質量％以上含有すると、反応試薬層中の反応に寄与する試薬が血液試料に溶出する溶解速度が遅く、またその拡散速度も遅く円滑に反応が進行するに至るまでに２．５秒以上かかる。後述する実施例に示すように、キャピラリの幅が０．８ｍｍ以下の範囲にある場合、当該設計を採用することが望ましい。なお、反応試薬層中の水溶性高分子化合物の量が０．２質量％以上である場合、水溶性高分子化合物の含有量の上限としては２質量％を例示でき、データａの取得の指示のための時間の上限としては、１５秒を例示できる。
【００４１】
また例えば、反応試薬層中の酵素量が１．８Ｕ以上でありキャピラリ部の幅が０．８ｍｍを超える範囲にある場合、後述する実施例に示すように、測定器が、血液試料がセンサチップに導入された時点から０．５秒以上、さらに１．５秒以上、特に２．０秒以上の範囲内にデータａの取得を指示する信号を測定部Ａに与える制御回路を有することが好ましい。当該指示のための時間の上限としては、１５秒を例示できる。
【００４２】
また例えば、キャピラリ部は、後述する実施例に示すように、反応試薬層中の酵素量が同一である場合、高さが低い状態、より具体的には、０．３ｍｍ以下、さらに０．１５ｍｍ未満、特に０．１ｍｍ以下の範囲、にあることが好ましい。この理由は現時点では定かではないが、本発明者は次のように考えている。キャピラリ部の高さが高すぎると、反応試薬層から溶出した酸化還元酵素が電極の表面から離れた方向に拡散しやすく、電極の表面付近において酵素サイクリング反応に関与する酵素が不足する。キャピラリ部の高さの下限としては、０．０５ｍｍを例示できる。
【００４３】
本発明によるバイオセンサシステムは、センサを使用する環境の温度が急激に変化した場合であっても、分析物濃度を高精度に測定できる。このため、サーミスタに代表される環境温度測定部を測定器に配置する必要はない。しかし、これは、本発明によるバイオセンサシステムにおいて環境温度測定部が設置されることを排除する意図ではない。
【００４４】
すなわち、本発明によるバイオセンサシステムは、測定器が、バイオセンサシステムを使用する環境（測定環境）の温度を測定する環境温度測定部をさらに有していてもよい。そして、本発明によるバイオセンサシステムは、演算部が、上記の換算テーブル（第１の換算テーブル）に加えて、上記のデータｃと当該データｃを測定環境の温度によって補正するためのデータ（データｅ）とが記述された、第２の換算テーブルをさらに有していて
もよい。測定環境の温度が高すぎたり低すぎたりすると、第１の換算テーブルを用いた分析物濃度の測定精度が低下する場合がある。こうした場合、第１の換算テーブルに代えて第２の換算テーブルを使用することによって、分析物濃度を補正するとよい。第２の換算テーブルの代用が好ましい測定環境の温度としては、１０℃以下の範囲および４０℃以上の範囲を例示できる。当該温度の下限としては０℃が例示でき、当該温度の上限としては５０℃が例示できる。測定環境の温度が１０℃を超え４０℃未満の範囲にある場合は、第１の換算テーブルを使用すれば足りる。
【００４５】
本発明によるバイオセンサシステムは、第１の換算テーブルと第２の換算テーブルとが１つのデータテーブル内に格納されている状態、より具体的には、データｃ、データｄおよびデータｅが、互いに関連づけられて１つのデータテーブルに記述されている状態にあることを排除しない。こうしたデータテーブルは、例えば、測定環境の温度が１０℃以下の範囲および４０℃以上の範囲にある場合に、敢えて第１の換算テーブルを参照することによって算出される分析物濃度を測定環境の温度によって補正するためのデータ（補正係数）をさらに有していてもよい。
【００４６】
本発明によるバイオセンサシステムは、測定器が、上記のデータａおよびデータｂを取得する前に第１の温度測定の実施を指示する信号を、そしてデータａおよびデータｂの取得後に第２の温度測定の実施を指示する信号を、環境温度測定部に与える、制御回路をさらに有していてもよい。本発明によるバイオセンサシステムは、第１の温度測定および第２の温度測定において測定された温度をそれぞれ第１温度および第２温度と表示したとき、演算部が、
i）第１温度および第２温度が下記の関係式（１）を満たす場合、第１の換算テーブルを
参照することによって、データａおよびデータｂに基づき血液試料中の分析物の濃度を決定するように、そして、
２．５℃  ≦  ｜（第２温度）−（第１温度）｜      ・・・（１）
ii）第１温度および第２温度が下記の関係式（２）を満たす場合、第２の換算テーブルを参照することによって、データｂに代えて第１温度および／または第２温度に関連するデータと、データａと、に基づき血液試料中の分析物の濃度を決定するように、
｜（第２温度）−（第１温度）｜  ＜  ２．５℃      ・・・（２）
構成することもできる。
【００４７】
環境温度の変化をより確実に検出する観点からは、第２の温度測定は、第１の温度測定から５秒以上、好ましくは１５秒以上、さらに好ましくは３０秒以上経過した後に実施するとよい。このように、本発明のバイオセンサシステムは、第１の温度測定から５秒以上、好ましくは１５秒以上、さらに好ましくは３０秒以上経過した後に、第２の温度測定の実施を指示する信号を環境温度測定部に与える制御回路を有していてもよい。第１温度および／または第２温度に関連するデータとしては、例えば、第１温度と第２温度との平均値を使用できる。また、当該データは、温度であっても温度の換算値であってもよい。
【００４８】
本発明によるバイオセンサシステムは、第１の温度測定から一定間隔毎に環境温度を測定し、その単位時間当たりの温度推移を検出するための信号を環境温度測定部に与える制御回路を有していてもよい。これにより、サーミスタに代表される環境温度測定部の信頼性（故障の有無や外部温度の急激な変化）を容易に判断できる。
【００４９】
本発明による分析物濃度の測定方法は、上記のとおり、血液試料に接触させた一対の電極に電圧を印加し、分析物以外の酸化還元物質の酸化または還元に伴って血液試料中に流れる電流の量を測定するステップを含むことによって上記のデータｂを取得する。データａおよびデータｂに基づく血液試料中の分析物の濃度は、上記の第１の換算テーブルを参照することによって決定できる。
【００５０】
本発明による分析物濃度の測定方法は、血液試料の周囲の環境温度を測定するステップをさらに有していてもよい。当該ステップは、データａおよびデータｂを取得する前に環境温度を測定する第１の温度測定ステップと、データａおよびデータｂの取得後に環境温度を測定する第２の温度測定ステップとを含んでいてよい。
【００５１】
本発明による分析物濃度の測定方法は、第１の温度測定ステップおよび第２の温度測定ステップにおいて測定された温度をそれぞれ第１温度および第２温度と表示したとき、
i）第１温度および第２温度が下記の関係式（１）を満たす場合、上記の第１の換算テー
ブルを参照することによって、データａおよびデータｂに基づき血液試料中の分析物の濃度を決定し、
２．５℃  ≦  ｜（第２温度）−（第１温度）｜      ・・・（１）
ii）第１温度および第２温度が下記の関係式（２）を満たす場合、上記の第２の換算テーブルを参照することによって、データｂに代えて第１温度および／または第２温度に関連するデータと、データａと、に基づき血液試料中の分析物の濃度を決定する、
｜（第２温度）−（第１温度）｜  ＜  ２．５℃      ・・・（２）
ように構成してもよい。環境温度の変化をより確実に検出する観点からは、第２の温度測定は、第１の温度測定から５秒以上、好ましくは１５秒以上、さらに好ましくは３０秒以上経過した後に実施するとよい。第１温度および／または第２温度に関連するデータとしては、例えば、第１温度と第２温度との平均値を使用できる。また、当該データは、温度であっても温度の換算値であってもよい。
【００５２】
以下、実施例により、本発明をさらに詳細に説明する。
【００５３】
（実施例１）
図２および図３に示すセンサチップを作製した。キャピラリ部は、幅０．６ｍｍ、長さ（奥行き）２．５ｍｍ、高さ０．１ｍｍになるように設計した。反応試薬層は、次のようにして形成した。グルコースデヒドロゲナーゼ、フェリシアン化カリウム（関東化学社製）、タウリン（ナカライテスク社製）およびマルチトール（林原社製）を、ＣＭＣ水溶液（第一工業製薬社製セロゲンＨＥ−１５００Ｆ）に溶解することによって得た試薬液を、反応試薬層中の酵素量が２．０Ｕ／センサ、ＣＭＣ量が０．０５質量％、フェリシアン化カリウム量が２．５質量％、タウリン量が１．５質量％、マルチトール量が０．１質量％になるように、ポリエチレンテレフタレート基板上に塗布した後、湿度４５％温度２１℃の雰囲気下で乾燥させた。各電極はパラジウムによって構成した。
【００５４】
３名の被験者から血液を採取した。グルコース濃度が５０ｍｇ／ｄｌ、１００ｍｇ／ｄｌ、２５０ｍｇ／ｄｌ、４００ｍｇ／ｄｌ、６００ｍｇ／ｄｌになるように、グルコース濃縮液を各血液に添加することによって、血液試料を調製した。
【００５５】
血液試料をセンサチップのキャピラリ部に導入した。血液試料の温度は、１７℃、２５℃または３３℃とした。次に、測定部Ａにおける作用極（電極１２）と対極（電極１３）との間に０．２５Ｖの大きさの電圧を印加し、血液試料の導入完了から１秒後に、上記の酵素およびグルコースが関与する酵素サイクリング反応により当該電極間に流れる電流（グルコース応答）を測定した。
【００５６】
その後、測定部Ｂにおける作用極（電極１１）と対極（電極１２）との間に２．５Ｖの大きさの電圧を印加し、血液試料の導入完了から３秒後に、当該電極間に流れる電流（温度補正用応答）を測定した。
【００５７】
グルコース応答の応答電流値と、温度補正用応答の応答電流値とを表１に示す。また、
温度補正用応答の応答電流値を、グルコース応答の応答電流値で除算することによって得た数値（Ｚ）も、表１に示す。温度１７℃の血液試料から得た上記の数値（Ｚx）を、温
度３３℃の血液試料から得た上記の数値（Ｚy）で除算することによって得た数値（Ｚx／Ｚy）も、表１に示す。さらに、キャピラリ部の寸法、各応答の測定タイミング、酵素の
量、ＣＭＣの量、Ｚx／Ｚyの値の１．０からの最大の乖離率（最大の揺らぎ幅）を表２に示す。以降の実施例および参照例についてのこれらの値も表２に示す。
【００５８】
【表１】
2014041166.tif 000003
【００５９】
【表２】
2014041166.tif 000004
【００６０】
実施例１におけるＺx／Ｚyの値の最大の揺らぎ幅は、表２に示すように、１２％以下の範囲にあった。
【００６１】
（実施例２）
キャピラリ部への血液試料の導入完了から２．５秒後にグルコース応答を測定したこと以外は、実施例１と同様にして種々の電流応答を測定した。各血液試料から得た数値（Ｚ、Ｚx／Ｚy）を表３に示す。
【００６２】
【表３】
2014041166.tif 000005
【００６３】
実施例２におけるＺx／Ｚyの値の最大の揺らぎ幅は、表２に示すように、１７％以下の範囲にあった。
【００６４】
（実施例３）
センサ当たりの酵素量が０．５Ｕであるセンサチップを使用したこと以外は、実施例１と同様にして種々の電流応答を測定した。各血液試料から得た数値（Ｚ、Ｚx／Ｚy）を表５に示す。
【００６５】
【表４】
2014041166.tif 000006
【００６６】
実施例３におけるＺx／Ｚyの値の最大の揺らぎ幅は、表２に示すように、１２％以下の範囲にあった。
【００６７】
（実施例４）
センサ当たりの酵素量が１．０Ｕであるセンサチップを使用したこと以外は、実施例１と同様にして種々の電流応答を測定した。各血液試料から得た数値（Ｚ、Ｚx／Ｚy）を表５に示す。
【００６８】
【表５】
2014041166.tif 000007
【００６９】
実施例４におけるＺx／Ｚyの値の最大の揺らぎ幅は、表２に示すように、１７％以下の範囲にあった。
【００７０】
（実施例５）
キャピラリ部への血液試料の導入完了から２．５秒後にグルコース応答を測定したこと以外は、実施例３と同様にして種々の電流応答を測定した。各血液試料から得た数値（Ｚ、Ｚx／Ｚy）を表６に示す。
【００７１】
【表６】
2014041166.tif 000008
【００７２】
実施例５におけるＺx／Ｚyの値の最大の揺らぎ幅は、表２に示すように、１７％を超える範囲にあった。
【００７３】
（実施例６）
キャピラリ部への血液試料の導入完了から２．５秒後にグルコース応答を測定したこと以外は、実施例４と同様にして種々の電流応答を測定した。各血液試料から得た数値（Ｚ、Ｚx／Ｚy）を表７に示す。
【００７４】
【表７】
2014041166.tif 000009
【００７５】
実施例６におけるＺx／Ｚyの値の最大の揺らぎ幅は、表２に示すように、１７％を超える範囲にあった。
【００７６】
（実施例７）
反応試薬層がＣＭＣを含有しないセンサチップを使用したこと以外は、実施例４と同様にして種々の電流応答を測定した。各血液試料から得た数値（Ｚ、Ｚx／Ｚy）を表８に示す。
【００７７】
【表８】
2014041166.tif 000010
【００７８】
実施例７におけるＺx／Ｚyの値の最大の揺らぎ幅は、表２に示すように、１２％以下の範囲にあった。
【００７９】
（実施例８）
反応試薬層中のＣＭＣ量が０．１質量％であるセンサチップを使用したこと以外は、実施例４と同様にして種々の電流応答を測定した。各血液試料から得た数値（Ｚ、Ｚx／Ｚy）を表９に示す。
【００８０】
【表９】
2014041166.tif 000011
【００８１】
実施例８におけるＺx／Ｚyの値の最大の揺らぎ幅は、表２に示すように、１７％以下の範囲にあった。
【００８２】
（実施例９）
反応試薬層中のＣＭＣ量が０．２５質量％であるセンサチップを使用したこと以外は、実施例６と同様にして種々の電流応答を測定した。各血液試料から得た数値（Ｚ、Ｚx／
Ｚy）を表１０に示す。
【００８３】
【表１０】
2014041166.tif 000012
【００８４】
実施例９におけるＺx／Ｚyの値の最大の揺らぎ幅は、表２に示すように、１２％以下の範囲にあった。
【００８５】
（実施例１０）
反応試薬層中のＣＭＣ量が０．５質量％であるセンサチップを使用したこと以外は、実施例６と同様にして種々の電流応答を測定した。各血液試料から得た数値（Ｚ、Ｚx／Ｚy）を表１１に示す。
【００８６】
【表１１】
2014041166.tif 000013
【００８７】
実施例１０におけるＺx／Ｚyの値の最大の揺らぎ幅は、表２に示すように、１７％以下の範囲にあった。
【００８８】
（実施例１１）
キャピラリ部への血液試料の導入完了から２．５秒後にグルコース応答を測定したこと以外は、実施例７と同様にして種々の電流応答を測定した。各血液試料から得た数値（Ｚ、Ｚx／Ｚy）を表１２に示す。
【００８９】
【表１２】
2014041166.tif 000014
【００９０】
実施例１１におけるＺx／Ｚyの値の最大の揺らぎ幅は、表２に示すように、１７％を超える範囲にあった。
【００９１】
（実施例１２）
キャピラリ部への血液試料の導入完了から２．５秒後にグルコース応答を測定したこと以外は、実施例８と同様にして種々の電流応答を測定した。各血液試料から得た数値（Ｚ、Ｚx／Ｚy）を表１３に示す。
【００９２】
【表１３】
2014041166.tif 000015
【００９３】
実施例１２におけるＺx／Ｚyの値の最大の揺らぎ幅は、表２に示すように、１７％を超える範囲にあった。
【００９４】
（実施例１３）
キャピラリ部への血液試料の導入完了から１．５秒後にグルコース応答を測定したこと以外は、実施例９と同様にして種々の電流応答を測定した。各血液試料から得た数値（Ｚ、Ｚx／Ｚy）を表１４に示す。
【００９５】
【表１４】
2014041166.tif 000016
【００９６】
実施例１３におけるＺx／Ｚyの値の最大の揺らぎ幅は、表２に示すように、１７％を超える範囲にあった。
【００９７】
（実施例１４）
キャピラリ部への血液試料の導入完了から１．０秒後にグルコース応答を測定したこと以外は、実施例１０と同様にして種々の電流応答を測定した。各血液試料から得た数値（Ｚ、Ｚx／Ｚy）を表１５に示す。
【００９８】
【表１５】
2014041166.tif 000017
【００９９】
実施例１４におけるＺx／Ｚyの値の最大の揺らぎ幅は、表２に示すように、１７％を超える範囲にあった。
【０１００】
（実施例１５）
キャピラリ部の幅が１．０ｍｍであり長さが３．０ｍｍであるセンサチップを使用したこと以外は、実施例４と同様にして種々の電流応答を測定した。各血液試料から得た数値（Ｚ、Ｚx／Ｚy）を表１６に示す。
【０１０１】
【表１６】
2014041166.tif 000018
【０１０２】
実施例１５におけるＺx／Ｚyの値の最大の揺らぎ幅は、表２に示すように、１７％以下の範囲にあった。
【０１０３】
（実施例１６）
キャピラリ部への血液試料の導入完了から１．５秒後にグルコース応答を測定したこと以外は、実施例１５と同様にして種々の電流応答を測定した。各血液試料から得た数値（Ｚ、Ｚx／Ｚy）を表１７に示す。
【０１０４】
【表１７】
2014041166.tif 000019
【０１０５】
実施例１６におけるＺx／Ｚyの値の最大の揺らぎ幅は、表２に示すように、１２％以下の範囲にあった。
【０１０６】
（実施例１７）
キャピラリ部の幅が１．０ｍｍであり長さが３．０ｍｍであるセンサチップを使用したこと以外は、実施例２と同様にして種々の電流応答を測定した。各血液試料から得た数値（Ｚ、Ｚx／Ｚy）を表１８に示す。
【０１０７】
【表１８】
2014041166.tif 000020
【０１０８】
実施例１７におけるＺx／Ｚyの値の最大の揺らぎ幅は、表２に示すように、１２％以下の範囲にあった。
【０１０９】
（実施例１８）
キャピラリ部の幅が１．０ｍｍであり長さが３．０ｍｍであるセンサチップを使用したこと以外は、実施例１と同様にして種々の電流応答を測定した。各血液試料から得た数値（Ｚ、Ｚx／Ｚy）を表１９に示す。
【０１１０】
【表１９】
2014041166.tif 000021
【０１１１】
実施例１８におけるＺx／Ｚyの値の最大の揺らぎ幅は、表２に示すように、１７％以下の範囲にあった。
【０１１２】
（実施例１９）
キャピラリ部への血液試料の導入完了から１．５秒後にグルコース応答を測定したこと以外は、実施例１８と同様にして種々の電流応答を測定した。各血液試料から得た数値（Ｚ、Ｚx／Ｚy）を表２０に示す。
【０１１３】
【表２０】
2014041166.tif 000022
【０１１４】
実施例１９におけるＺx／Ｚyの値の最大の揺らぎ幅は、表２に示すように、１７％以下の範囲にあった。
【０１１５】
（実施例２０）
キャピラリ部の幅が１．０ｍｍであり長さが３．０ｍｍであるセンサチップを使用したこと以外は、実施例３と同様にして種々の電流応答を測定した。各血液試料から得た数値（Ｚ、Ｚx／Ｚy）を表２１に示す。
【０１１６】
【表２１】
2014041166.tif 000023
【０１１７】
実施例２０におけるＺx／Ｚyの値の最大の揺らぎ幅は、表２に示すように、１７％以下の範囲にあった。
【０１１８】
（実施例２１）
キャピラリ部の幅が１．０ｍｍであり長さが３．０ｍｍであるセンサチップを使用したこと以外は、実施例５と同様にして種々の電流応答を測定した。各血液試料から得た数値（Ｚ、Ｚx／Ｚy）を表２２に示す。
【０１１９】
【表２２】
2014041166.tif 000024
【０１２０】
実施例２１におけるＺx／Ｚyの値の最大の揺らぎ幅は、表２に示すように、１７％を超える範囲にあった。
【０１２１】
（実施例２２）
キャピラリ部の幅が１．０ｍｍであり長さが３．０ｍｍであるセンサチップを使用したこと以外は、実施例６と同様にして種々の電流応答を測定した。各血液試料から得た数値（Ｚ、Ｚx／Ｚy）を表２３に示す。
【０１２２】
【表２３】
2014041166.tif 000025
【０１２３】
実施例２２におけるＺx／Ｚyの値の最大の揺らぎ幅は、表２に示すように、１７％を超える範囲にあった。
【０１２４】
（実施例２３）
キャピラリ部の高さが０．１５ｍｍであるセンサチップを使用したこと以外は、実施例６と同様にして種々の電流応答を測定した。各血液試料から得た数値（Ｚ、Ｚx／Ｚy）を表２４に示す。
【０１２５】
【表２４】
2014041166.tif 000026
【０１２６】
実施例２３におけるＺx／Ｚyの値の最大の揺らぎ幅は、表２に示すように、１７％を超える範囲にあった。
【０１２７】
（実施例２４）
キャピラリ部の高さが０．１５ｍｍであるセンサチップを使用したこと以外は、実施例４と同様にして種々の電流応答を測定した。各血液試料から得た数値（Ｚ、Ｚx／Ｚy）を表２５に示す。
【０１２８】
【表２５】
2014041166.tif 000027
【０１２９】
実施例２４におけるＺx／Ｚyの値の最大の揺らぎ幅は、表２に示すように、１７％を超える範囲にあった。
【産業上の利用可能性】
【０１３０】
本発明は、血液試料中の分析物濃度の測定において、当該測定を実施する環境の温度に起因した測定誤差の発生を抑制するものとして、測定の高精度化が要求される各分野において多大な利用価値を有する。
【符号の説明】
【０１３１】
１１、１２、１３、１４  電極
１５  排気口
１６  血液試料導入口
２０  反応試薬層
３１  キャピラリ部に面する電極１１の一部分
３２  キャピラリ部に面する電極１２の一部分
３３  キャピラリ部に面する電極１３の一部分
３４  キャピラリ部に面する電極１４の一部分
４０  キャピラリ部
４１  測定部Ａ
４２  測定部Ｂ
１００  バイオセンサシステム
１０１  測定器
１０２  装着口
１０３  表示部
２００  センサチップ
２０１  絶縁基板
２０２  スペーサー
２０３  カバー
２０４  切欠部
３００  制御回路
３０１ａ、３０１ｂ、３０１ｃ、３０１ｄ  コネクタ
３０２  切換回路
３０３  電流／電圧変換回路
３０４  アナログ／デジタル（Ａ／Ｄ）変換回路
３０５  基準電圧源
３０６  演算部
４００  液晶表示装置（ＬＣＤ）
【図１】
2014041166.tif 000028
【図２】
2014041166.tif 000029
【図３】
2014041166.tif 000030
【図４】
2014041166.tif 000031
【図５】
2014041166.tif 000032
【図６】
2014041166.tif 000033